(57)【要約】【課題】データの記録の際に複雑な処理を行うことなく、時刻が最新であるほどデータの記録レートが高く、一定時間が過ぎた際にデータの記録レートが低くなるが長期間画像を記録することができるデータ記録装置を提供する。【解決手段】記録メディア１３のメモリ領域を複数のグループに分割し、そのうち２個以上かつ全グループ数未満の一定数のグループを、一連の画像データをそれぞれ順次割り振り記録する単位となる記録対象グループとして選択し、記録対象グループを、長期記録グループと短期記録グループとに少なくとも分類し、一連の画像データを所定の振り分け比率に基づき、順次選択された一定数のグループから成る記録対象グループ内で割り振り記録する。【選択図】図１
2010288176.tif 000002
【特許請求の範囲】
【請求項１】
事後検証用に時系列で連続して入力される一連のデータを、一定容量の記録媒体に常時記録するためのデータ記録装置において、
前記記録媒体のメモリ領域を複数のグループに分割し、そのうち２個以上かつ全グループ数未満の一定数のグループを、前記一連のデータをそれぞれ順次割り振り記録する単位となる記録対象グループとして選択し、
前記記録対象グループを、長期保持するデータを記録する長期記録グループと、短期保持するデータを記録する短期記録グループと、に少なくとも分類し、
前記一連のデータを、前記長期記録グループと前記短期記録グループとの任意の比率に応じて定めた所定の振り分け比率に基づき、前記記録対象グループとして順次選択が更新される一定数のグループにそれぞれ割り振り記録することを特徴とするデータ記録装置。
【請求項２】
前記記録対象グループは、これを構成する一定数のグループの選択パターンが予め定められており、
前記選択パターンの更新が繰り返される毎に、前記所定の振り分け比率を形成することを特徴とする請求項１に記載のデータ記録装置。
【請求項３】
前記全グループ数と、前記記録対象グループの一定数は、前記記録媒体の容量に対する前記記録対象グループの任意の比率、および前記長期記録グループと前記短期記録グループとの任意の比率に応じて定められることを特徴とする請求項１または２に記載のデータ記録装置。
【請求項４】
前記複数のグループのうち何れかの容量がデータで一杯になった場合に、該グループ内で新たに記録されるデータはリングバッファ形式で上書きされることを特徴とする請求項１，２または３に記載のデータ記録装置。
【発明の詳細な説明】
【技術分野】
【０００１】
本発明は、事後検証用に時系列で連続して入力される一連のデータを、一定容量の記録媒体に常時記録するためのデータ記録装置であり、特に、監視用途で使用する画像データを常時記録するカメラシステムにおける外部記録媒体への記録方法を工夫したデータ記録装置に関する。
【背景技術】
【０００２】
近年、防犯カメラ等が世の中に増えてきている。しかし、従来のように監視員が常にカメラの様子を監視することは、カメラの台数の増加、それに伴う人件費の増加等により、現実的ではない。そこで、カメラで撮影した映像を常時、記録メディアへ静止画像データとして記録し、何か事象が発生した際に、事後検証用に記録メディアを取り出し閲覧するシステムが既に知られている。
【０００３】
ここで記録メディアの容量は有限であるため、フレームレート（画像の取得間隔）や画像サイズによって定まる一定時間分のデータしか記録することができない。そのため、記録メディアの容量が一杯になった場合は、以後のデータ記録を停止する、もしくは、記録メディアに記録されているデータを古い順に消去し、新しいデータを上書きして記録する必要があった。
【０００４】
これにより、想定しているよりも過去の画像が欲しいといった状況になった場合には、時間が大きく経過していると削除されている可能性が高いという問題があった。  
また、例えば、事故発生時の状況は細かく記録し、かつ長期間画像も残したいといった要望に応えることは困難であるという問題もあった。
【０００５】
かかる問題を解決し得る従来の技術として、例えば、特許文献１に開示されているように、比較的新しいデータについては高品質を維持して記憶し、かつ古くなるにつれて品質を下げて記憶を継続するデータ記録装置が既に知られている。これは、記憶領域に空きがなくなった場合に、記憶領域に記憶された最古の画像データのフレームを間引き率１／２で間引いて別の記憶領域に移動させ、このデータ移動により先の記憶領域に生成された空き領域に、新たに受信された画像データをフルレートで上書きするものである。
【先行技術文献】
【特許文献】
【０００６】
【特許文献１】特開２００８−１９３７１５号公報
【発明の概要】
【発明が解決しようとする課題】
【０００７】
しかしながら、前述した特許文献１に記載された従来の技術では、記録メディアへの書き込み処理がシステム全体の処理性能の大部分を決める要となるため、書き込みの際に最古の画像データのフレームを間引いて別の記憶領域に移動させるという複雑な処理を行うことは、記録レートが遅くなるという問題があった。また、書き込み処理プログラムが複雑になり、プログラムの容量上の負担も大きくなるという問題もあった。
【０００８】
本発明は、以上のような従来の技術の有する問題点に着目してなされたものであり、データの記録の際に複雑な処理を行うことなく、時刻が最新であるほどデータの記録レートが高く、一定時間が過ぎた際にデータの記録レートが低くなるが長期間画像を記録することができ、プログラムの容量も抑えることができるデータ記録装置を提供することを目的としている。
【課題を解決するための手段】
【０００９】
前述した目的を達成するための本発明の要旨とするところは、以下の各項の発明に存する。  
［１］事後検証用に時系列で連続して入力される一連のデータを、一定容量の記録媒体（１３）に常時記録するためのデータ記録装置（１０）において、
前記記録媒体（１３）のメモリ領域を複数のグループに分割し、そのうち２個以上かつ全グループ数未満の一定数のグループを、前記一連のデータをそれぞれ順次割り振り記録する単位となる記録対象グループとして選択し、
前記記録対象グループを、長期保持するデータを記録する長期記録グループと、短期保持するデータを記録する短期記録グループと、に少なくとも分類し、
前記一連のデータを、前記長期記録グループと前記短期記録グループとの任意の比率に応じて定めた所定の振り分け比率に基づき、前記記録対象グループとして順次選択が更新される一定数のグループにそれぞれ割り振り記録することを特徴とするデータ記録装置（１０）。
【００１０】
［２］前記記録対象グループは、これを構成する一定数のグループの選択パターンが予め定められており、
前記選択パターンの更新が繰り返される毎に、前記所定の振り分け比率を形成することを特徴とする［１］に記載のデータ記録装置（１０）。
【００１１】
［３］前記全グループ数と、前記記録対象グループの一定数は、前記記録媒体（１３）の容量に対する前記記録対象グループの任意の比率、および前記長期記録グループと前記短期記録グループとの任意の比率に応じて定められることを特徴とする［１］または［２］に記載のデータ記録装置（１０）。
【００１２】
［４］前記複数のグループのうち何れかの容量がデータで一杯になった場合に、該グループ内で新たに記録されるデータはリングバッファ形式で上書きされることを特徴とする［１］，［２］または［３］に記載のデータ記録装置（１０）。
【００１３】
次に、前述した解決手段に基づく作用を説明する。  
本発明に係るデータ記録装置（１０）によれば、記録媒体（１３）のメモリ領域を複数のグループに分割して、そのうち２個以上かつ全グループ数未満の一定数のグループを、一連のデータをそれぞれ順次割り振り記録する単位となる記録対象グループとして選択する。
【００１４】
ここで記録対象グループは、長期保持するデータを記録する長期記録グループと、短期保持するデータを記録する短期記録グループと、に少なくとも分類する。全グループ数と、記録対象グループの一定数は、記録媒体（１３）の容量に対する記録対象グループの任意の比率、および長期記録グループと短期記録グループとの任意の比率に応じて定めると良い。  
【００１５】
時系列で連続して入力される一連のデータは、長期記録グループと短期記録グループとの任意の比率に応じて定めた所定の振り分け比率に基づき、記録対象グループとして順次選択が更新される一定数のグループにそれぞれ割り振られて記録される。記録対象グループは、これを構成する一定数のグループの選択パターンが予め定められており、この選択パターンの更新が繰り返される毎に、前記所定の振り分け比率を形成することになる。
【００１６】
所定の振り分け比率を予め定めるだけで、後はこの比率に従って自動的にその都度選択された一定数のグループ単位でデータを記録するだけであり、特定のデータの間引きや削除、移動ないし空き領域の形成等の複雑な処理は一切不要である。このような簡単かつ高速で動作可能な記録処理に関わらず、記録媒体（１３）の一定容量内にてデータの保持時間は、少なくとも長期記録と短期記録の２段階に階層化される。
【００１７】
これにより、新しいデータはレートを細かく記録することができ、しかも古いデータはレートは落ちるが長期間に亘り保存しておくことができる。従って、想定外の事象が発生した際の事後検証においては、間近の検証についてはレートの細かいデータを用いて詳細な検証を行うことができ、一方、古いデータを検証する必要が生じた場合にはレートは落ちるが長期保存されたデータを検証することも可能となる。
【００１８】
また、複数のグループのうち何れかの容量がデータで一杯になった場合には、該グループ内で新たに記録されるデータはリングバッファ形式で上書きすると良い。これにより、データの削除ないし移動を行うことなく、最新のデータを高速で保存することが可能となる。
【発明の効果】
【００１９】
本発明に係るデータ記録装置によれば、データの記録の際に複雑な処理を行うことなく、時刻が最新であるほどデータの記録レートが高く、一定時間が過ぎた際にデータの記録レートが低くなるが長期間画像を記録することができる。また、記録処理に関する制御プログラムの容量も抑えることができる。さらに、データのレートに関しては、所定の振り分け比率に基づき任意に設定することができる。
【図面の簡単な説明】
【００２０】
【図１】本発明の実施の形態に係るデータ記録装置を概略的に示すブロック図である。
【図２】本発明の実施の形態に係るデータ記録装置における記録メディアのメモリ領域を複数のグループに分割し、振り分け比率に従い記録対象グループが切り替わる状態を模式的に示す説明図である。
【図３】本発明の実施の形態に係るデータ記録装置での画像データの保持時間とフレームレートの相関関係を示すグラフである。
【図４】本発明の実施の形態に係るデータ記録装置で記録メディアのメモリ領域を８個のグループに分割する説明図である。
【図５】本発明の実施の形態に係るデータ記録装置における画像データの記録時の処理を示すフローチャートである。
【図６】本発明の実施の形態に係るデータ記録装置において所定の振り分け比率に基づき画像データを記録するイメージを図式化した説明図である。
【図７】図６の続きの説明図である。
【図８】本発明の実施の形態に係るデータ記録装置における画像データの保持時間とフレームレートの相関関係を示すグラフである。
【図９】本発明の実施の形態に係るデータ記録装置において、別の振り分け比率に基づく画像データの保持時間とフレームレートの相関関係を示すグラフである。
【図１０】本発明の実施の形態に係るデータ記録装置において、さらに別の振り分け比率に基づく画像データの保持時間とフレームレートの相関関係を示すグラフである。
【発明を実施するための形態】
【００２１】
以下、図面に基づき本発明を代表する実施の形態を説明する。  
図１は、本実施の形態に係るデータ記録装置１０を概略的に示すブロック図である。以下、データ記録装置１０を、監視用途で使用する画像データを常時記録するカメラシステムに適用した場合を例にして説明する。
【００２２】
図１に示すように、本実施の形態におけるデータ記録装置１０は、カメラシステム側のカメラ１１と、画像蓄積基板１２と、記録媒体である記録メディア１３と、電源基板１４とから構成されている。電源基板１４は、システム動作に必要な電源電圧が外部から供給されるものである。
【００２３】
また、画像蓄積基板１２には、記録メディア１３に記録された画像データを閲覧するための描画側装置２０が通信ネットワークを介して接続されている。ここで描画側装置２０は、画像データを出力するモニタ２１の他、図示省略したが所定操作を行う入力装置等を備えている。
【００２４】
カメラシステム側のカメラ１１に関する性能は、例えば、画像の圧縮方法はＪＰＥＧを採用し、画像サイズは６４０×４８０または３２０×２４０等に設定する。また、２チャネル入力できるようにし、記録フレームレートは各チャネルで５枚／秒とし、時系列に沿って入力された画像データを常時記録できるように設定すると良い。
【００２５】
記録メディア１３は、例えば、小型のフラッシュメモリ（ＣＦカード）でも数十ギガバイトの容量を持つものも出現しているので、これらを用いると良い。記録メディア１３に関する設計方針としては、画像データの書き込み時に、連続したセクタを確保できるようにする。また、読み出し時よりも書き込み時の処理速度を優先すると共に、システム動作中の読み出し動作は想定せず、停止後に描画側装置２０で読み出すものとする。
【００２６】
画像蓄積基板１２は、本発明であるデータ記録装置１０の根幹を成すものであり、画像データの記録制御の中枢的機能を果たすＣＰＵと、ＣＰＵの実行するプログラムや各種の固定的データを記録するＲＯＭと、プログラムを実行する上で一時的に必要になるデータを記録するためのＲＡＭ等を主要部とする基板から構成されている。この画像蓄積基板１２に、外部から電源電圧が供給される電源基板１４の他、カメラ１１や記録メディア１３、それに前述したように描画側装置２０が接続されている。
【００２７】
次に、本実施の形態に係るデータ記録装置１０の作用について説明する。  
データ記録装置１０は、図２に示すように、記録メディア１３のメモリ領域を複数のグループとして例えば１０個に分割する。ここで各グループは、それぞれ管理情報の入ったヘッダ部分と実際の画像データに分けて記録する。また、各グループは、リングバッファ形式で画像データを記録する。
【００２８】
そして、複数（１０個）に分割したグループのうち２個以上かつ全グループ数（１０個）未満の一定数のグループを随時選択する。一定数を例えば５個とすれば、この５個のグループを、カメラ１１から時系列で連続して入力される一連の画像データをそれぞれ順次割り振り記録する単位である「記録対象グループ」として使用する。
【００２９】
図２に示すように、さらに記録対象グループは、長期保持するデータを記録する「長期記録グループ」と、短期保持するデータを記録する「短期記録グループ」とに少なくとも区別する。ここで全グループ数と、記録対象グループの一定数の決定は、記録メディア１３の容量に対する記録対象グループの任意の比率、および長期記録グループと短期記録グループとの任意の比率に応じて定められる。
【００３０】
時系列で連続して入力される一連の画像データは、長期記録グループと短期記録グループとの任意の比率に応じて定めた「所定の振り分け比率」に基づき、順次選択された一定数のグループから成る記録対象グループ内で割り振られて記録される。記録対象グループは、これを構成する一定数のグループの選択パターンが予め定められており、この選択パターンの更新が繰り返される毎に、前記所定の振り分け比率を形成することになる。
【００３１】
例えば、所定の振り分け比率に基づく振り分けを行わずに、全ての画像データを短時間詳細に保持するような場合には、記録メディア１３に記録される画像データの保持時間とフレームレートの相関関係は、図３（ａ）に示すようなグラフになる。ここでは次述する振り分けの有無に関わらず、記録メディア１３のデータ容量は同一とする。
【００３２】
一方、本データ記録装置１０において、記録メディア１３に記録される画像データの保持時間とフレームレートの相関関係が、図３（ｂ）に示すようなグラフになる際の一例が図２となる。この場合、全グループ数は１０、記録対象グループ数は５（長期記録グループ１、短期記録グループ４）となる。この場合、本データ記録装置１０では画像データの保持時間が２段階となる。
【００３３】
次に、さらに具体的な実施の形態を挙げて、所定の振り分け比率に基づく実際の画像データの振り分けについて詳細に説明する。本実施の形態では、カメラ１１から時系列で連続して入力される一連の画像データを、秒間５枚のフレームレートで常時記録する場合、一番古い画像から上書きした際に１時間保存できるものとする。
【００３４】
そして、記録メディア１３のメモリ領域は、図４に示すように８個のグループに分割する。ここで各グループの容量は均等とする。また、８個のグループのうち一定数として何れか５個のグループを記録対象グループとして選択する。記録対象グループとなる５個のグループの選択パターンは次の通りである。なお、図４中にてグループを識別する丸数字は、文章中では半角( )で囲む数字とする。
【００３５】
(1)→(2)→(3)→(4)→(5)→(1)→(2)→(6)→(4)→(7)→(1)→(2)→(3)→(4)→(5)→(1)→(2)→(6)→(4)→(8)→(1)→(2)→(3)→(4)→(5)→(1)→(2)→(6)→(4)→(7)→(1)→(2)→(3)→(4)→(5)→(1)→(2)→(6)→(4)→(8)→(1)→(2)→(3)→(4)→(5)→・・・
かかる選択パターンによれば、１秒毎に下記Ａ，Ｂ，Ａ，Ｃのグループの組み合わせ単位で、各組み合わせ中の個々のグループに１フレームずつ割り振られて記録されることになる。
【００３６】
すなわち、選択パターンの規則性として、下記の４つの組み合わせＡ，Ｂ，Ａ，Ｃが繰り返されるものであり、
Ａ［１秒後］：(1)→(2)→(3)→(4)→(5)→
Ｂ［２秒後］：(1)→(2)→(6)→(4)→(7)→
Ａ［３秒後］：(1)→(2)→(3)→(4)→(5)→
Ｃ［４秒後］：(1)→(2)→(6)→(4)→(8)→
このような記録対象グループの選択パターンが４秒単位で繰り返されることになる。
【００３７】
図５は、本実施の形態の画像データの記録時の処理を示すフローチャートである。  
先ず、記録メディア１３のメモリ領域を複数のグループに分割する（ステップＳ１０１）。本実施の形態では、図４に示すように８個のグループに分割する。記録処理を実行するタスクは、記録命令を受信するまで待機する（ステップＳ１０２）。
【００３８】
記録命令を受信すると（ステップＳ１０２；ｙｅｓ）、先ず書き込み対象となる記録対象グループを決定する。すなわち、本実施の形態では、最初はカウンタＭの値は０であり（ステップＳ１０３）、カウンタＭの値が０または２の場合は（ステップＳ１０４；ｙｅｓ）、全部で８個のグループのうち記録対象グループとして(1)，(2)，(3)，(4)，(5)のグループ（前記Ａパターン）を選択し、この順番に１枚ずつ画像データを記録する（ステップＳ１０６）。
【００３９】
続いてカウンタＭの値を確認し、この値が３以上の場合には（ステップＳ１０９；ｙｅｓ）、前述したステップＳ１０２の処理に戻る。一方、３未満の場合には（ステップＳ１０９；ｎｏ）、このカウンタＭの値のインクリメントを行い（ステップＳ１１０）、前述したステップＳ１０４の判断に戻る。ここでカウンタＭの値が０または２ではない場合は（ステップＳ１０４；ｎｏ）、カウンタＭの値が１であるか否かを判断する（ステップＳ１０５）。
【００４０】
カウンタＭの値が１の場合は（ステップＳ１０５；ｙｅｓ）、記録対象グループとして(1)，(2)，(6)，(4)，(7)のグループ（前記Ｂパターン）を選択し、この順番に１枚ずつ画像データを記録する（ステップＳ１０７）。一方、カウンタＭの値が１でない場合は（ステップＳ１０５；ｎｏ）、記録対象グループとして(1)，(2)，(6)，(4)，(8)のグループ（前記Ｃパターン）を選択し、この順番に１枚ずつ画像データを記録する（ステップＳ１０８）。
【００４１】
その後、再びカウンタＭの値を確認し、前述したステップＳ１０２〜Ｓ１１０に示した選択パターンの更新が繰り返される毎に、記録メディア１３のメモリ領域には長期記録グループと短期記録グループとの任意の比率に応じて定めた所定の振り分け比率に基づき、画像データが割り振られ記録される。なお、記録命令を受信しなければ（ステップＳ１０２；ｎｏ）、そのまま記録処理を終了する。以上の処理は画像蓄積基板１２によって実行される。
【００４２】
さらに、本実施の形態の選択パターンについて図式化して説明する。図６および図７は、本実施の形態の振り分け比率に基づき、秒間５枚の画像データを記録メディア１３に記録するイメージを図式化した説明図である。ここでの記録処理は、前述した図５に示したフローチャートに従うものとする。また、簡易化のために、各グループのファイルサイズは一定で、１つのグループに入る画像データは１２個とする。
【００４３】
図６および図７に示すように、１秒毎に前述したＡ，Ｂ，Ａ，Ｃのグループの組み合わせ単位で、各組み合わせ中の個々のグループに画像データが１個ずつ割り振られて保存される。図７に示すように、１２秒経過した時点でＡ，Ｂ，Ａ，Ｃのグループの組み合わせ単位が４回繰り返されたことになり、最も多く画像データが割り振られた短期記録グループ(1)，(2)，(4)のグループは容量が一杯となる。
【００４４】
かかる状態で割り振られた画像は、１３秒後の状態に示すように、画像データで一杯になったグループ内ではリングバッファ形式で上書きされる。これにより、画像データの削除ないし移動を行うことなく、最新の画像データを高速で保存することが可能となる。
【００４５】
このような記録が繰り返された結果、図８（ｂ）に示すように、記録メディア１３に記録される画像データの保持時間とフレームレートの相関関係は３段階となる。図８（ａ）に示すように、記録メディア１３を全８個のグループに均等に画像データに振り分けた場合に１時間保存できる容量であるとすれば、図８（ｂ）の場合では、具体的には秒間５枚で３７．５分、秒間２枚で７５分、秒間１枚だと１５０分の画像データを記録することができる。
【００４６】
以上のようにデータ記録装置１０では、所定の振り分け比率を予め定めるだけで、後はこの比率に従って自動的にその都度選択された一定数のグループ単位で画像データを記録するだけであり、特定の画像データの間引きや削除、移動ないし空き領域の形成等の複雑な処理は一切不要である。このような簡単かつ高速で動作可能な記録処理に関わらず、記録メディア１３の一定容量内にて画像データのフレームレートは、少なくとも長期記録と短期記録の２段階に階層化される。
【００４７】
すなわち、新しい画像データはレートを細かく記録することができ、しかも古い画像データはレートは落ちるが長期間に亘り保存しておくことができる。従って、想定外の事象が発生した際の事後検証においては、間近の検証についてはレートの細かい画像データを用いて詳細な検証を行うことができ、一方、古い画像データを検証する必要が生じた場合にはレートは落ちるが長期保存された画像データを検証することも可能となる。
【００４８】
また、データ記録装置１０の記録メディア１３に記録された画像データは、描画側装置２０によってモニタ２１上に読み出し随時閲覧することができる。記録された画像データは各グループ毎に管理され、他グループの記録内容とは独立している。従って、複数グループに分散して記録した短期保存データを時系列に沿って扱うには、読み出し時に時刻情報やファイルＩＤ等を元にして並べ替える必要がある。
【００４９】
前記実施の形態では、フレームレートが図８（ｂ）に示すように、５：２：１の３段階で保存される場合を説明したが、別の振り分け比率の例として、例えば図９に示すように、フレームレートが５：３：１の３段階になるような選択パターンを定めても良い。かかる場合には、記録メディア１３のメモリ領域を９個のグループに分割した上で、記録対象グループの選択パターンを以下のように定める。
【００５０】
すなわち、選択パターンの規則性として、下記の４つの組み合わせＡ，Ｄ，Ａ，Ｅが繰り返されるものであり、
Ａ［１秒後］：(1)→(2)→(3)→(4)→(5)→
Ｄ［２秒後］：(6)→(2)→(7)→(4)→(8)→
Ａ［３秒後］：(1)→(2)→(3)→(4)→(5)→
Ｅ［４秒後］：(6)→(2)→(7)→(4)→(9)→
このような記録対象グループの選択パターンが４秒単位で繰り返されることになる。
【００５１】
さらに、また別の振り分け比率の例として、例えば図１０に示すように、フレームレートが５：２：１：０．５の４段階になるような選択パターンを定めても良い。かかる場合も、記録メディア１３のメモリ領域は９個のグループに分割した上で、記録対象グループの選択パターンを以下のように定める。
【００５２】
すなわち、選択パターンの規則性として、下記の８つの組み合わせＡ，Ｂ，Ａ，Ｃ，Ａ，Ｂ，Ａ，Ｆが繰り返されるものであり、
Ａ［１秒後］：(1)→(2)→(3)→(4)→(5)→
Ｂ［２秒後］：(1)→(2)→(6)→(4)→(7)→
Ａ［３秒後］：(1)→(2)→(3)→(4)→(5)→
Ｃ［４秒後］：(1)→(2)→(6)→(4)→(8)→
Ａ［５秒後］：(1)→(2)→(3)→(4)→(5)→
Ｂ［６秒後］：(1)→(2)→(6)→(4)→(7)→
Ａ［７秒後］：(1)→(2)→(3)→(4)→(5)→
Ｆ［８秒後］：(1)→(2)→(6)→(4)→(9)→
このような記録対象グループの選択パターンが８秒単位で繰り返されることになる。
【００５３】
以上、本発明の実施の形態を図面によって説明してきたが、具体的な構成は前述したような実施の形態に限られるものではなく、本発明の要旨を逸脱しない範囲における変更や追加があっても本発明に含まれる。例えば、画像データとしては静止画像データのものに限らず、動画データ、あるいは高ビットレートな音声を常時記録するように構成しても良い。
【産業上の利用可能性】
【００５４】
本発明に係るデータ記録装置は、鉄道分野におけるワンマン車ドア、荷物置き場、客室、運転台、踏切等の監視用途、その他画像を使用する分野全般にも適用することができる。
【符号の説明】
【００５５】
１０…データ記録装置
１１…カメラ
１２…画像蓄積基板
１３…記録メディア
１４…電源基板
２０…描画側装置
２１…モニタ
【図１】
2010288176.tif 000003
【図２】
2010288176.tif 000004
【図３】
2010288176.tif 000005
【図４】
2010288176.tif 000006
【図５】
2010288176.tif 000007
【図６】
2010288176.tif 000008
【図７】
2010288176.tif 000009
【図８】
2010288176.tif 000010
【図９】
2010288176.tif 000011
【図１０】
2010288176.tif 000012